(57)【要約】【課題】通信方式の異なる電話システムにおいて、通信方式に準じたコード信号を分析／判断処理をすることなく、通信端末の状態を通信端末の外部より延伸して認識することが可能な端末状態表示装置を提供する。【解決手段】通信端末の状態を表示する表示装置２であって、前記通信端末が備えている通信状態を示す表示部の表示内容を光学的に認識する表示内容認識手段２２を具備し、表示内容認識手段の認識結果に応じて、表示装置２の表示内容を制御することを特徴とする。【選択図】図１
2007134867.tif 000002
【特許請求の範囲】
【請求項１】
通信端末の状態を表示する表示装置であって、前記通信端末が備えている通信状態を示す表示部の表示内容を光学的に認識する表示内容認識手段を具備し、前記表示内容認識手段の認識結果に応じて、前記表示装置の表示内容を制御することを特徴とする端末状態表示装置。
【請求項２】
通信端末の状態を表示する表示装置であって、前記通信端末が発音する通信状態を示すトーンを音響的に認識するトーン認識手段を具備し、前記トーン認識手段の認識結果に応じて、前記表示装置の表示内容を制御することを特徴とする端末状態表示装置。
【請求項３】
請求項１または２記載において、前記通信端末の前記通信状態として着信状態を認識することを特徴とする端末状態表示装置。
【発明の詳細な説明】
【技術分野】
【０００１】
本発明は、既存の通信端末の外部に設置しその通信端末の外部より延伸して表示する装置であって、通信状態の一例の着信状態をベルあるいはライトで表示する通称ベルライトと同等の機能を、通信方式の異なる電話システムでも実現する端末状態表示装置に関するものである。
【背景技術】
【０００２】
従来のアナログ加入者線による通信方式で用いられたベルライトは、回線上に到来する着信信号(一般的に±７５Ｖ/１６〜２０Ｈｚ)を入力し、その電力の有無によって直接ランプを点灯／消灯させることにより、着信状態を、電話機の外周より延伸して表示していた（この技術は文献公知発明に係るものではない）。
【０００３】
しかし、ＩＳＤＮ（Integrated Services Digital Network）や独自プロトコルによるボタン電話装置、またＩＰ（Internet Protocol）電話機等においてこのベルライト機能を実現しようとする場合、着信信号がランプを直接駆動できる物理信号でなく、所定のデータフォーマット上にコーディングされたコード信号によって伝達される。
【０００４】
そのため、電話機が着信状態であるか否かを判断するためには、このコード信号を受信して分析／判断処理をする機能が必要となり、端末状態表示装置の構成が複雑化する不都合が生じる。
【０００５】
なお、携帯電話の送信電波をモニタしてランプ表示する機能をもったアンテナがあるが、着信以外の通信中状態でも光るので、着信状態を特定できない。
【発明の開示】
【発明が解決しようとする課題】
【０００６】
通信方式の異なる電話システムにおいて、通信端末の通信状態を通信端末の外部より延伸して認識するためには、その通信方式に準じたコード信号を分析／判断処理をする機能を具備する必要があり、端末状態表示装置の構成が複雑となり、外形が大型化し、コストが増加するなどの課題がある。
【０００７】
本発明の目的は、通信方式の異なる電話システムにおいて、通信方式に準じたコード信号を分析／判断処理をすることなく、通信端末の通信状態を通信端末の外部より延伸して認識することが可能な端末状態表示装置を提供することにある。
【課題を解決するための手段】
【０００８】
本発明は、通信端末の状態を表示する表示装置であって、前記通信端末が備えている通信状態を示す表示部の表示内容を光学的に認識する表示内容認識手段を具備し、前記表示内容認識手段の認識結果に応じて、前記表示装置の表示内容を制御することを特徴とする。
【０００９】
また本発明は、通信端末の状態を表示する表示装置であって、前記通信端末が発音する通信状態を示すトーンを音響的に認識するトーン認識手段を具備し、前記トーン認識手段の認識結果に応じて、前記表示装置の表示内容を制御することを特徴とする。
【００１０】
さらに本発明は、上記の記載において、前記通信端末の前記通信状態として着信状態を認識することを特徴とする。
【発明の効果】
【００１１】
本発明によれば、通信方式の異なる電話システムにおいて、通信方式に準じたコード信号を分析／判断処理をすることなく、通信端末の通信状態を通信端末の外部より延伸して認識することが可能な端末状態表示装置を得ることができる。
【発明を実施するための最良の形態】
【００１２】
以下、図を用いて本発明の実施の形態を説明する。
【００１３】
図１は、本発明によるベルライトを用いたシステム構成の第１の実施の形態を示す図であって、ＬＡＮ受電タイプのベルライトを含む構成を示す図である。
【００１４】
図１において、ベルライト２は、ＩＰ電話機１ａに具備する着信ランプ１１に対向して設置され着信ランプ１１の点滅を受光する受光器２１と、受光器２１で受光した着信ランプ１１の点滅を光学的に認識する制御部２２と、認識結果に応じて制御部２２により表示内容が制御される延伸表示ＬＥＤ２３と、受電部２４を具備する。
【００１５】
受電部２４は、ＬＡＮインタフェースに接続された給電ＨＵＢ７と中継ケーブル２５で接続され、またＩＰ電話機１ａのＬＡＮインタフェースコネクタ１４に中継ケーブル２６で接続される。よってＩＰ電話機１ａはＬＡＮインタフェースからの給電電力によって稼働する電話機である。
【００１６】
ＩＰ電話機１ａに着信信号が到来すると、着信ランプ１１が点滅を開始する。本実施の形態によるベルライト２では、着信ランプ１１の点滅を受光器２１で受光し、制御部２２において、受光器２１で受光した着信ランプ１１の点滅を光学的に認識し、認識結果に応じて延伸表示ＬＥＤ２３の表示内容を制御する。このことで延伸表示ＬＥＤ２３が消灯から点滅に移行する。
【００１７】
このときＬＡＮインタフェースからの電力供給は、一般にＩＥＥＥ８０２.３ａｆで標準化された方式を用い、ＩＰ電話機１ａに具備する接続検知回路（図示していない）によって給電動作が開始された後、本実施の形態によるベルライト２が、中継ケーブル２５，受電部２４および中継ケーブル２６に内在する信号線と電力線のうちの電力線から電力を得ることで構成を簡素化している。
【００１８】
その他ＩＳＤＮ電話機やボタン電話機等においても同様に通信線路上の電力を得て本実施の形態によるベルライト２を動作させることができる。
【００１９】
また受光器２１と制御部２２の結線を、図１に図示のケーブル接続に代えて、ワイヤレス化した形態も考えられる。
【００２０】
本実施の形態によれば、通信方式の異なる電話システムにおいて、通信方式に準じたコード信号を分析／判断処理をすることなく、通信端末の通信状態の一例としての着信状態を通信端末の外部より延伸して認識することが可能な端末状態表示装置を得ることができるとともに、さらにＬＡＮインタフェースからの電力を得ることで簡易なベルライトを実現することができる。
【００２１】
図２は、本発明によるベルライトを用いたシステム構成の第２の実施の形態を示す図であって、ＡＣ給電を中継するベルライトを含む構成を示す図である。
【００２２】
図２において、ベルライト３は、ＩＰ電話機１ｂに具備する着信ランプ１１に対向して設置され着信ランプ１１の点滅を受光する受光器３１と、受光器３１で受光した着信ランプ１１の点滅を光学的に認識する制御部３２と、認識結果に応じて制御部３２により表示内容が制御される延伸表示ＬＥＤ３３と、受電部３４を具備する。
【００２３】
本実施の形態では、ＩＰ電話機１ｂに接続されるＡＣアダプタ８から電力を受電する形態であり、受電部３４は、ＡＣアダプタ８と中継ケーブル３５で接続され、必要な電力を得た後、中継ケーブル３６を用いてＩＰ電話機１ｂのＡＣアダプタ接続コネクタ１５へ給電する。よってＩＰ電話機１ｂはＡＣアダプタ８からの給電電力によって稼働する電話機である。
【００２４】
ＩＰ電話機１ｂに着信信号が到来すると、着信ランプ１１が点滅を開始する。本実施の形態によるベルライト３では、着信ランプ１１の点滅を受光器３１で受光し、制御部３２において、受光器３１で受光した着信ランプ１１の点滅を光学的に認識し、認識結果に応じて延伸表示ＬＥＤ３３の表示内容を制御する。このことで延伸表示ＬＥＤ３３が消灯から点滅に移行する。
【００２５】
また着信の認識は、受電部３４における消費電流の変化を認識するようにしても有効である。
【００２６】
本実施の形態によれば、通信方式の異なる電話システムにおいて、通信方式に準じたコード信号を分析／判断処理をすることなく、通信端末の通信状態の一例としての着信状態を通信端末の外部より延伸して認識することが可能な端末状態表示装置を得ることができるとともに、さらにＩＰ電話機に接続されるＡＣアダプタを利用することでより簡易なベルライトを実現することができる。
【００２７】
図３は、本発明によるベルライトを用いたシステム構成の第３の実施の形態を示す図であって、電話機ＬＣＤ表示器上の着信表示を認識するベルライトの構成を示す図である。
【００２８】
図３において、ベルライト４は、ＩＰ電話機１ｃに具備するＬＣＤ表示器１２に対向して設置され、ＬＣＤ表示器１２上の着信表示ピクトセルやバックライトの点灯や色調の変化を受光する受光器４１と、受光器４１で受光した、ＬＣＤ表示器１２上の着信表示ピクトセルやバックライトの点灯や色調の変化を光学的に認識する制御部４２と、認識結果に応じて制御部４２により表示内容が制御される延伸表示ＬＥＤ４３と、電池４４を具備する。
【００２９】
ＩＰ電話機１ｃに着信信号が到来すると、ＬＣＤ表示器１２上に、着信表示ピクトセルやバックライトの点灯や色調の変化が表れる。本実施の形態によるベルライト４では、ＬＣＤ表示器１２上の着信表示ピクトセルやバックライトの点灯や色調の変化を受光器４１で受光し、制御部４２において、受光器４１で受光したＬＣＤ表示器１２上の着信表示ピクトセルやバックライトの点灯や色調の変化を光学的に認識し、認識結果に応じて延伸表示ＬＥＤ４３の表示内容を制御する。このことで延伸表示ＬＥＤ４３が消灯から点滅に移行する。
【００３０】
本実施の形態によれば、通信方式の異なる電話システムにおいて、通信方式に準じたコード信号を分析／判断処理をすることなく、通信端末の通信状態の一例としての着信状態を通信端末の外部より延伸して認識することが可能な端末状態表示装置を得ることができるとともに、さらに電池を利用することでより簡易なベルライトを実現することができる。
【００３１】
図４は、本発明によるベルライトを用いたシステム構成の第４の実施の形態を示す図であって、電話機着信音を受音するベルライトの構成を示す図である。
【００３２】
図４において、ベルライト５は、ＩＰ電話機１ｄに具備する着信音送出器１３に対向して設置され着信音送出器１３が発音する着信リンガ鳴動トーンを受音するマイク５１と、マイク５１で受音した、着信音送出器１３が発音する着信リンガ鳴動トーンを音響的に認識する制御部５２と、認識結果に応じて制御部５２により表示内容が制御される延伸表示ＬＥＤ５３と、受電部５４を具備する。
【００３３】
受電部５４は、ＡＣアダプタ８から電力受電を受ける形態であり、受電部５４は、ＡＣアダプタ８とケーブル５５で接続され、必要な電力を得る。
【００３４】
ＩＰ電話機１ｄに着信信号が到来すると、着信音送出器１３が着信リンガ鳴動トーンを発音する。本実施の形態によるベルライト５では、着信音送出器１３が発音する着信リンガ鳴動トーンをマイク５１で受音し、制御部５２において、着信音送出器１３が発音する着信リンガ鳴動トーンを音響的に認識し、認識結果に応じて延伸表示ＬＥＤ５３の表示内容を制御する。このことで延伸表示ＬＥＤ５３が消灯から点滅に移行する。
【００３５】
本実施の形態によれば、通信方式の異なる電話システムにおいて、通信方式に準じたコード信号を分析／判断処理をすることなく、通信端末の通信状態の一例としての着信状態を通信端末の外部より延伸して認識することが可能な端末状態表示装置を得ることができるとともに、さらにＩＰ電話機に接続されるＡＣアダプタを利用することでより簡易なベルライトを実現することができる。
【００３６】
図５は、本発明によるベルライトを用いたシステム構成の第５の実施の形態を示す図であって、複数の着信表示の異なる電話機に対応したベルライトの構成を示す図である。
【００３７】
図５において、ベルライト６は、ＩＰ電話機１ｅに具備する着信ランプ１１に対向して設置され着信ランプ１１の点滅を受光する受光器６１１と、ＩＰ電話機１ｆに具備するＬＣＤ表示器１２に対向して設置されＬＣＤ表示器１２上の着信表示ピクトセルやバックライトの点灯や色調の変化を受光する受光器６１２と、ＩＰ電話機１ｇに具備する着信音送出器１３に対向して設置され着信音送出器１３が発音する着信リンガ鳴動トーンを受音するマイク６１３と、着信ランプ１１の点滅、ＬＣＤ表示器１２上の着信表示ピクトセルやバックライトの点灯や色調の変化、および着信音送出器１３が発音する着信リンガ鳴動トーンのいずれかを認識、またはあらかじめ設定された数の認識条件に達したことを認識する制御部６２と、認識結果に応じて制御部６２により表示内容が制御される延伸表示ＬＥＤ６３と、電源６４を具備する。
【００３８】
ＩＰ電話機１ｅに着信信号が到来すると、着信ランプ１１が点滅を開始し、本実施の形態によるベルライト６では、着信ランプ１１の点滅を受光器６１１で受光する。ＩＰ電話機１ｆに着信信号が到来すると、ＬＣＤ表示器１２上に、着信表示ピクトセルやバックライトの点灯や色調の変化が表れ、ＬＣＤ表示器１２上の着信表示ピクトセルやバックライトの点灯や色調の変化を受光器６１２で受光する。ＩＰ電話機１ｇに着信信号が到来すると、着信音送出器１３が着信リンガ鳴動トーンを発音し、着信音送出器１３が発音する着信リンガ鳴動トーンをマイク６１３で受音する。
【００３９】
制御部６２においては、着信ランプ１１の点滅を光学的に認識し、ＬＣＤ表示器１２上の着信表示ピクトセルやバックライトの点灯や色調の変化を光学的に認識し、着信音送出器１３が発音する着信リンガ鳴動トーンを音響的に認識する。
【００４０】
制御部６２は、上記３種類の着信表示のいずれかを認識、またはあらかじめ設定された数の認識条件に達したことを認識すると、認識結果に応じて延伸表示ＬＥＤ６３の表示内容を制御する。このことで延伸表示ＬＥＤ６３が消灯から点滅に移行する。
【００４１】
本実施の形態によれば、通信方式の異なる電話システムにおいて、通信方式に準じたコード信号を分析／判断処理をすることなく、通信端末の通信状態の一例としての着信状態を通信端末の外部より延伸して認識することが可能な端末状態表示装置を得ることができるとともに、複数の着信表示の異なる電話機に対応したベルライトの設置数を削減することができる。また、着信の積滞など状況の度合いを表示することも可能となる。
【００４２】
図６は、本発明によるベルライトの制御部における動作フローを示す図である。制御部は、受光器またはマイクの出力を監視し（Ｓ７０１）、電話機の着信表示の変化を判断する（Ｓ７０２）。点滅したり、着信表示ピクトセルやバックライトの点灯や色調の変化が表れたり、着信リンガ鳴動トーンを受音したら着信有りと認識し、延伸表示ＬＥＤを点滅する（Ｓ７０３）。一方、点滅しないとき、および着信表示ピクトセルやバックライトの点灯や色調の変化が表れないとき、および着信リンガ鳴動トーンを受音しないときは着信なしと認識し、延伸表示ＬＥＤを消灯する（Ｓ７０４）。
【００４３】
制御部はＣＰＵ回路による簡易な構成や小規模の論理回路で実現することができる。
【００４４】
また本発明の実施の形態のように、ＬＣＤを着信表示に用いる場合には、点滅（点灯／消灯）のタイミングや対象とする表示色などを条件に加えることで、着信状態の把握の確実性が向上できる。
【００４５】
さらに本発明の実施の形態では、着信状態を一例として説明したが、電話機の使用状態（通話中、保留中）や在席／離席など、電話機が有する付加機能の状態を表示することにも応用できる。
【００４６】
なお、本発明の実施の形態において、着信ランプ１１，ＬＣＤ表示器１２，着信音送出器１３を検出対象とし、給電ＨＵＢ７，ＡＣアダプタ８，電池４４を電力源としているが、この検出対象と電力源の組合せは自由である。
【００４７】
本発明によれば、通信方式の異なる電話システムにおいて、通信方式に準じたコード信号を分析／判断処理をすることなく、通信端末の通信状態を通信端末の外部より延伸して認識することが可能な端末状態表示装置を得ることができる。
【００４８】
また本発明によれば、着信信号のパターンを知りえない通信システムにおいても、容易に通信状態を認識することができるので、新たな通信システムにおけるベルライトを簡易にかつ安価に実現することが可能となる。
【００４９】
また本発明は、電話機毎の受光器と認識手段及び電話機対応の表示パターン（ＬＥＤ点滅の周期、色等）を具備することで、多人数共用型の端末状態表示装置への展開も実現可能となる。
【図面の簡単な説明】
【００５０】
【図１】本発明によるベルライトを用いたシステム構成の第１の実施の形態を示す図であって、ＬＡＮ受電タイプのベルライトを含む構成を示す図である。
【図２】本発明によるベルライトを用いたシステム構成の第２の実施の形態を示す図であって、ＡＣ給電を中継するベルライトを含む構成を示す図である。
【図３】本発明によるベルライトを用いたシステム構成の第３の実施の形態を示す図であって、電話機ＬＣＤ表示器上の着信表示を認識するベルライトの構成を示す図である。
【図４】本発明によるベルライトを用いたシステム構成の第４の実施の形態を示す図であって、電話機着信音を検出するベルライトの構成を示す図である。
【図５】本発明によるベルライトを用いたシステム構成の第５の実施の形態を示す図であって、複数の着信表示の異なる電話機に対応したベルライトの構成を示す図である。
【図６】本発明によるベルライトの制御部における動作フローを示す図である。
【符号の説明】
【００５１】
１ａ，１ｂ，１ｃ，１ｄ，１ｅ，１ｆ，１ｇ：ＩＰ電話機、１１：着信ランプ、１２：ＬＣＤ表示器、１３：着信音送出器、２，３，４，５，６：ベルライト、２１，３１，４１，６１１，６１２：受光器、５１，６１３：マイク、２２，３２，４２，５２，６２：制御部、２３，３３，４３，５３，６３：延伸表示ＬＥＤ、２４，３４，５４：受電部、４４：電池、６４：電源、７：給電ＨＵＢ、８：ＡＣアダプタ、２５，２６，３５，３６：中継ケーブル、５５：ケーブル。
【図１】
2007134867.tif 000003
【図２】
2007134867.tif 000004
【図３】
2007134867.tif 000005
【図４】
2007134867.tif 000006
【図５】
2007134867.tif 000007
【図６】
2007134867.tif 000008